(57)【要約】【課題】より安全に障子を閉じることが可能な建具を提供する。【解決手段】開口を形成する枠体と、前記枠体に案内されてスライドし前記開口を開閉自在に設けられる障子と、を有し、前記枠体は、前記開口を閉じた前記障子の戸先が収容され、当該戸先と見込み方向に対向する戸先対向壁部を有する戸先収容部を有し、前記障子は、前記開口を閉じた前記障子の前記戸先側に設けられ、見込み方向において前記戸先対向壁部よりも突出し、開閉時に操作する把手を有し、前記把手は、前記障子の面内方向における前記戸先対向壁部の先端の位置との間隔が、当該把手の先端側よりも基端側の方が狭い側面を有している。【選択図】図３
2020200703.tif 000002
【特許請求の範囲】
【請求項１】
開口を形成する枠体と、
前記枠体に案内されてスライドし前記開口を開閉自在に設けられる障子と、
を有し、
前記枠体は、前記開口を閉じた前記障子の戸先が収容され、当該戸先と見込み方向に対向する戸先対向壁部を有する戸先収容部を有し、
前記障子は、前記開口を閉じた前記障子の前記戸先側に設けられ、見込み方向において前記戸先対向壁部よりも突出し、開閉時に操作する把手を有し、
前記把手は、前記障子の面内方向における前記戸先対向壁部の先端の位置との間隔が、当該把手が突出する先端側よりも基端側の方が狭い側面を有していることを特徴とする建具。
【請求項２】
請求項１に記載の建具であって、
前記側面は、前記把手の内側に窪む湾曲面であることを特徴とする建具。
【請求項３】
請求項１に記載の建具であって、
前記側面は、見込み方向に対して傾斜する平面であることを特徴とする建具。
【請求項４】
請求項１乃至請求項３のいずれかに記載の建具であって、
前記戸先対向壁部には、前記障子に当接されるシール材が設けられていることを特徴とする建具。
【発明の詳細な説明】
【技術分野】
【０００１】
本発明は、スライドする障子を有する建具に関する。
【背景技術】
【０００２】
スライドする障子を有する建具としては、例えば、枠体と、該枠体の内側に配置される障子とを備え、障子が有するガラスパネルの外縁を覆う戸先框に引手が設けられている建具が知られている（例えば、特許文献１参照）。この建具の引手は、指掛け部と対向し、戸先框から指掛け部に向かってガラス面に近づくように傾斜する傾斜部を有している。そして、指掛け部と召合せ框との見込み方向の間隙を広くすることにより、引手にて障子を開ける際に、指を挟むことを防止し、傾斜部を設けることにより、指掛け部と召合せ框との間から手指を安全に引き抜くことができるとしている。
【先行技術文献】
【特許文献】
【０００３】
【特許文献１】特開２０１０−２８５８３６号公報
【発明の概要】
【発明が解決しようとする課題】
【０００４】
上記従来の引手は、傾斜部を設けて、指掛け部と召合せ框との間から手指を引き抜き易くしているとはいうものの、見込み方向において、指掛け部と召合せ框との間に手指が挿入されてしまうので、指を挟む虞がある。また、スライドする障子の操作による指挟みは、障子を開けるときばかりでなく、障子を閉じるときにも発生する虞がある。
本発明は、かかる課題に鑑みてなされたものであり、その目的とするところは、より安全に障子を閉じることが可能な建具を提供することにある。
【課題を解決するための手段】
【０００５】
かかる目的を達成するための主たる発明は、開口を形成する枠体と、前記枠体に案内されてスライドし前記開口を開閉自在に設けられる障子と、を有し、前記枠体は、前記開口を閉じた前記障子の戸先が収容され、当該戸先と見込み方向に対向する戸先対向壁部を有する戸先収容部を有し、前記障子は、前記開口を閉じた前記障子の前記戸先側に設けられ、見込み方向において前記戸先対向壁部よりも突出し、開閉時に操作する把手を有し、前記把手は、前記障子の面内方向における前記戸先対向壁部の先端の位置との間隔が、当該把手が突出する先端側よりも基端側の方が狭い側面を有していることを特徴とする建具である。
本発明の他の特徴については、本明細書及び添付図面の記載により明らかにする。
【発明の効果】
【０００６】
本発明によれば、より安全に障子を閉じることが可能な建具を提供することが可能である。
【図面の簡単な説明】
【０００７】
【図１】本発明にかかる建具の一例を示す浴室建具を浴室側から見た図である。
【図２】本実施形態にかかる建具の横断面図である。
【図３】図２におけるＡ部の拡大図である。
【図４】把手の構成を示す縦断面図である。
【図５】把手の構成を示す分解斜視図である。
【図６】把手の変形例を示す図である。
【発明を実施するための形態】
【０００８】
以下、本発明の一実施形態に係る建具について図面を参照して説明する。本実施形態では、浴室に用いられる浴室建具を例に挙げて説明する。
【０００９】
以下の説明においては、浴室建具（以下、建具という）が建物に取り付けられている状態で浴室側から見たときに、上下となる方向を上下方向、左右となる方向を左右方向、浴室の内外方向を見込み方向として示す。建具の各部位であっても、また、建具を構成する各部材については単体の状態であっても、建具が取り付けられた状態で上下方向、左右方向、見込み方向等となる方向にて方向を特定して説明する。
【００１０】
建具１は、図１に示すように、建物に取り付けられている枠体３の左側の領域に袖壁４が設けられており、袖壁４の脱衣室側に２枚の引き違い障子２ａ、２ｂが重ねて収容される浴室用の建具１である。
【００１１】
枠体３は、左右の縦枠３０、３１と、左右の縦枠３０、３１の上下端部に掛け渡される上下の横枠３２と、左右の縦枠３０、３１と左右方向に各々間隔を空けて上下の横枠３２間に設けられる縦骨３３と、を有している。右の縦枠３０、上下の横枠３２、及び、縦骨３３により浴室の出入口をなす開口３ａ（図２）が形成されている。左の縦枠３１、上下の横枠３２、及び、縦骨３３の内側にはパネル体４ａが装着されて、袖壁４をなしている。
【００１２】
２枚の障子２ａ、２ｂは、上下の横枠３２に設けられているレール（不図示）に案内されて、左右方向にスライド可能に支持されている。２枚の障子２は、いずれも、右側に位置する戸先框２１と、左側に位置する召合せ框２２と、戸先框２１及び召合せ框２２の上下の端部同士を連結する上下の横框２３とが矩形状に接合された框体２０と、框体２０の内側に周端部が収容されて装着されたガラス２４と、を有している。
【００１３】
図２に示すように、２枚の障子２ａ、２ｂのうち脱衣室側をスライドする第１障子２ａは、袖壁４の脱衣室側に収容されている状態から、戸先框２１が右の縦枠３０と係合する位置まで移動可能である。浴室側をスライドする第２障子２ｂは、袖壁４の脱衣室側に収容されている状態から、戸先框２１が、閉じた状態の第１障子２ａの召合せ框２２と見込み方向に対向し、召合せ框２２が、縦骨３３と見込み方向に対向する位置まで移動可能である。第１障子２ａの召合せ框２２と、第２障子２ｂの戸先框２１とには、互いに係合する係合部２１ａ、２２ａを有している。
【００１４】
２枚の障子２が袖壁４の脱衣室側に収容されている状態から、第１障子２ａを右方向にスライドさせると、第１障子２ａの召合せ框２２が第２障子２ｂの戸先框２１の脱衣室側を通過する際に、互いの係合部２１ａ、２２ａが係合し、第１障子２ａを右方向にスライド移動させることにより、第２障子２ｂも第１障子２ａとともにスライド移動する。このため、障子２ａ、２ｂを開閉するために操作する把手２５は、第１障子２ａの戸先框２１に設けられている。
【００１５】
第１障子２ａの戸先框２１が右の縦枠３０と係合して、浴室の出入口をなす開口３ａが、第１障子２ａと第２障子２ｂとにより閉止される。第１障子２ａの戸先框２１は、右の縦枠３０に設けられている戸先収容部３０ａに収容される。
【００１６】
戸先収容部３０ａは、図３に示すように、右の縦枠３０が有する見込み面をなす見込み壁部３０ｂと、見込み壁部３０ｂから左方向に突出され、上下方向において全長に亘って設けられている２つの突出片３０ｃ、３０ｄとにより形成されている。２つの突出片３０ｃ、３０ｄは、見込み方向に間隔を空けて設けられており、２つの突出片３０ｃ、３０ｄの間隔は、第１障子２ａが有する戸先框２１の見込み方向の厚みよりも広く構成されている。すなわち、２つの突出片３０ｃ、３０ｄのうちの浴室側に位置する突出片（以下、浴室側突出片という）３０ｃは、閉じた状態の第１障子２ａの戸先框２１における浴室側の面２１ｂと対向しており、２つの突出片３０ｃ、３０ｄのうちの脱衣室側に位置する突出片（以下、脱衣室側突出片という）３０ｄは、閉じた状態の第１障子２ａの戸先框２１における脱衣室側の面２１ｃと対向している。ここで、浴室側突出片３０ｃ及び脱衣室側突出片３０ｄが戸先対向壁部に相当する。
【００１７】
浴室側突出片３０ｃの先端部には、脱衣室側に軟質合成樹脂製のシール材２６が嵌合されるシール材嵌合部３０ｅが設けられている。シール材嵌合部３０ｅは、浴室側突出片３０ｃの先端から脱衣室側に延出された先端延出部３０ｆと、先端延出部３０ｆの右側に間隔を空けて対向する右側延出部３０ｇとを有しており、先端延出部３０ｆと右側延出部３０ｇとの先端部分は、互いに対向する側に延出されて鉤状をなしている。
【００１８】
シール材２６は、戸先収容部３０ａに収容された第１障子２ａの戸先框２１に当接されて、浴室側突出片３０ｃと第１障子２ａの戸先框２１との間の、水密性・気密性を確保する。また、第１障子２ａ及び第２障子２ｂにより開口３ａを閉じた状態では、図２に示すように、第２障子２ｂの戸先框２１に設けられたシール材２７が第１障子２ａの召合せ框２２に当接され、縦骨３３に設けられたシール材２７が第２障子２ｂの召合せ框２２に当接されて水密性・気密性が確保されている。第２障子２ｂ及び縦骨３３に設けられるシール材２７は、例えば、モヘアと呼ばれる繊維が起毛状（ブラシ状）をなす部材である。
【００１９】
把手２５は、図３、図４に示すように、第１障子２ａの戸先框２１の浴室側及び脱衣室側にそれぞれ設けられている。浴室側及び脱衣室側の把手２５の外形形状は同一であり、戸先框２１から各々見込み方向に突出させて設けられている。戸先框２１は、長手方向に貫通する中空部２１ｄを有し、中空部２１ｄを形成して浴室に臨む浴室側壁部２１ｅ、及び、中空部２１ｄを形成して脱衣室に臨む脱衣室側壁部２１ｆから各々把手２５が突出している。
【００２０】
各把手２５は、上下方向に沿う縦長の部位であり、基端側となる戸先框２１側が、突出している先端側よりも、左右方向の幅が広く形成されている。各把手２５の水平断面における外径形状は、見込み方向に沿う線に対して線対称の形状をなし、突出している方向に向かって幅が漸次狭くなる傾斜を有している。各把手２５は、戸先框２１の見付け面に対する傾斜角度が、基端側の部位と、先端側の部位とで互いに相違しており、基端側が先端側の部位よりも傾斜が緩い第１傾斜部２５ａをなし、先端側が第２傾斜部２５ｂをなしている。
【００２１】
浴室側の把手２５における第１傾斜部２５ａと第２傾斜部２５ｂとの境界部２５ｃは、浴室側突出片３０ｃよりも浴室側に位置しており、脱衣室側の把手２５における第１傾斜部２５ａと第２傾斜部２５ｂとの境界部２５ｃは、脱衣室側突出片３０ｄよりも脱衣室側に位置している。より具体的には、例えば、浴室側の把手２５における第１傾斜部２５ａと第２傾斜部２５ｂとの境界部２５ｃは、浴室側突出片３０ｃの先端部に設けられているシール材嵌合部３０ｅをなす先端延出部３０ｆの脱衣室側の縁３０ｈよりも浴室側に位置している。すなわち、第１傾斜部２５ａは、障子２ａの面内方向における浴室側突出片３０ｃの先端の位置Ｔとの間隔が、当該把手２５の先端側よりも基端側の方が狭い側面をなしている。
【００２２】
把手２５は、図５に示すように、浴室側と脱衣室側とから戸先框２１を挟んで取り付けられる２つの把手カバー２５０と、戸先框２１に固定されて把手カバー２５０が係止される２つの被係止部材２５１、２５２と、２つの被係止部材２５１、２５２を、戸先框２１を見込み方向から挟むように固定する２つの固定部材２５３と、各把手カバー２５０の上下端部に各々嵌合されるカバーキャップ２５４と、を有している。
【００２３】
浴室側及び脱衣室側の把手カバー２５０は、上述した把手２５の水平断面における外形形状をなす同一の部材である。把手カバー２５０は、アルミナ樹脂製の押し出し成形部材であり、内側には、第１傾斜部２５ａ側と第２傾斜部２５ｂ側とを分かつ仕切り壁２５０ａが設けられている。このため、把手カバー２５０の内側には、仕切り壁２５０ａより先端側に上下方向に貫通する中空部２５０ｂが設けられており、仕切り壁２５０ａより基端側は、上下方向と戸先框２１側が開放されている。把手カバー２５０の戸先框２１側の縁には、内側に突出する突起２５０ｃが長手方向に沿って設けられている。
【００２４】
２つの被係止部材２５１、２５２は、把手カバー２５０とほぼ同じ長さを有している。各被係止部材２５１、２５２は、戸先框２１の浴室側壁部２１ｅ、及び、脱衣室側壁部２１ｆに当接される平板状の当接板部２５１ａ、２５２ａと、各当接板部２５１ａ、２５２ａの左右方向における縁部から見込み方向に突出されて、把手カバー２５０の突起２５０ｃが係止される被係止部２５１ｂ、２５２ｂと、を有し、上端部側と下端部側とが固定部材２５３を用いて戸先框２１に固定される。
【００２５】
浴室側壁部２１ｅに当接される当接板部２５１ａを有する被係止部材２５１は、上側と下部側とに、各々固定部材２５３の後述する挿通部２５３ａが挿通される第１挿通孔２５１ｃが設けられている。脱衣室側壁部２１ｆに当接される当接板部２５２ａを有する被係止部材２５２は、上部側と下部側とに、各々固定部材２５３の後述する挿通部２５３ａの２つの固定部材突出部２５３ｂが挿通される２つの第２挿通孔２５２ｃと、固定部材２５３に螺合されるビス２５５が挿通される第３挿通孔２５２ｄと、が設けられている。また、２つの被係止部材２５１、２５２の上端部側と下端部側には、カバーキャップ２５４の後述する嵌合片２５４ｃが嵌合される嵌合孔２５１ｅ、２５２ｅが設けられている。
【００２６】
戸先框２１の浴室側壁部２１ｅには、被係止部材２５１が取り付けられたときに第１挿通孔２５１ｃと重なる位置に第４挿通孔２１ｇが設けられており、脱衣室側壁部２１ｆには、被係止部材２５２が取り付けられたときに第２挿通孔２５２ｃ及び第３挿通孔２５２ｄと重なる位置に第５挿通孔(不図示)及び第６挿通孔(不図示)が設けられている。
【００２７】
固定部材２５３は、第１挿通孔２５１ｃ及び第４挿通孔２１ｇを浴室側から挿通される挿通部２５３ａと、挿通部２５３ａが第１挿通孔２５１ｃ及び第４挿通孔２１ｇからに挿通されて当接板部２５１ａの浴室側の面に当接される固定部材当接部２５３ｃと、を有している。固定部材当接部２５３ｃは、第１挿通孔２５１ｃより大きな外径をなし、固定部材２５３を戸先框２１に固定するためのビス２５５が螺合されるプレートナット２５６が側方から挿入されるスリット２５３ｄが設けられている。
【００２８】
挿通部２５３ａは、第１挿通孔２５１ｃ及び第４挿通孔２１ｇから挿通されて中空部２１ｄ内に配置される固定部材本体部２５３ｅと、固定部材本体部２５３ｅの上端側と下端側とに設けられ脱衣室側に突出する固定部材突出部２５３ｂと、を有している。挿通部２５３ａが第１挿通孔２５１ｃ及び第４挿通孔２１ｇに挿通されて固定部材当接部２５３ｃが脱衣室側壁部２１ｆに当接した状態で、固定部材本体部２５３ｅは脱衣室側壁部２１ｆと見込み方向に僅かに間隔が空くように形成されており、固定部材突出部２５３ｂは、第２挿通孔２５２ｃ及び第５挿通孔に挿通されて当接板部２５２ａよりも脱衣室側に突出するように形成されている。
【００２９】
固定部材本体部２５３ｅには、上下の固定部材突出部２５３ｂ間に、ビス２５５が挿通される第７挿通孔２５３ｆが設けられており、第７挿通孔２５３ｆは、スリット２５３ｄと連通するとともに固定部材当接部２５３ｃを貫通している。
【００３０】
カバーキャップ２５４は、戸先框２１に取り付けられた把手カバー２５０の上端部または下端部を覆うキャップ本体部２５４ａと、キャップ本体部２５４ａから上下方向に突出して、中空部２５０ｂに挿入されるキャップ挿入部２５４ｂ及び仕切り壁２５０ａよりも戸先框２１側に挿入されて嵌合孔２５１ｅ、２５２ｅに嵌合する嵌合片２５４ｃと、を有している。
【００３１】
把手２５の取り付け方法は、まず、戸先框２１の浴室側に被係止部材２５１を、脱衣室側に被係止部材２５２を、それぞれ当接板部２５１ａ、２５２ａを当接させて配置する。このとき、被係止部材２５１は、第１挿通孔２５１ｃが戸先框２１の第４挿通孔２１ｇと重なるように配置し、被係止部材２５２は、第２挿通孔２５２ｃ及び第３挿通孔２５２ｄが戸先框２１の第５挿通孔２１ｈ及び第６挿通孔がと重なるように配置する。
【００３２】
次に、スリット２５３ｄ内にプレートナット２５６が挿入されている固定部材２５３の挿通部２５３ａを浴室側から第１挿通孔２５１ｃ及び第４挿通孔２１ｇに挿入する。このとき、固定部材突出部２５３ｂは、第２挿通孔２５２ｃ及び第５挿通孔から脱衣室側に突出させる。また、このとき固定部材２５３の固定部材本体部２５３ｅは、脱衣室側壁部２１ｆに当接していない。
【００３３】
次に、脱衣室側からビス２５５を第６挿通孔２１ｉ、第３挿通孔２５２ｄ、及び、第７挿通孔２５３ｆに挿通し、スリット２５３ｄ内のプレートナット２５６に螺合して、２つの被係止部材２５１、２５２を戸先框２１に固定する。この状態で、固定部材２５３の固定部材当接部２５３ｃは、当接板部２５１ａよりも浴室側に突出しており、固定部材２５３の固定部材突出部２５３ｂは、当接板部２５２ａよりも脱衣室側に突出している。
【００３４】
次に、戸先框２１に固定された２つの被係止部材２５１、２５２の被係止部２５１ｂ、２５２ｂに、把手カバー２５０の突起２５０ｃを係止して、把手カバー２５０を戸先框２１に取り付ける。このとき、戸先框２１に取り付けられた把手カバー２５０の仕切り壁２５０ａと当接板部２５１ａ、２５２ａとの見込み方向の間隔は、固定部材２５３の固定部材当接部２５３ｃの当接板部２５１ａからの突出量、または、固定部材２５３の固定部材突出部２５３ｂの当接板部２５２ａからの突出量よりも僅かに狭く形成されている。
【００３５】
このため、戸先框２１に取り付けられ、浴室側に配置されている把手カバー２５０は、固定部材当接部２５３ｃにより浴室側に押圧され、脱衣室側に配置されている把手カバー２５０は、固定部材突出部２５３ｂにより脱衣室側に押圧される。把手カバー２５０が浴室側または脱衣室側に押圧されることにより、各仕切り壁２５０ａよりも戸先框２１側で被係止部２５１ｂ、２５２ｂに突起２５０ｃが係止されている把手カバー２５０は、把手カバー２５０と当接板部２５１ａ、２５２ａとの間で突っ張るように力が作用し、より確実に把手カバー２５０が係止されている。
【００３６】
次に、戸先框２１に取り付けられた把手カバー２５０の上下の端部に各々カバーキャップ２５４を嵌合して把手２５の取り付けが完了する。
【００３７】
本実施形態の建具１によれば、障子２ａの把手２５が、障子２ａの面内方向における浴室側突出片３０ｃの先端の位置Ｔとの間隔が、当該把手２５の突出している先端側よりも基端側の方が狭い湾曲面２５ａを有しているので、障子２ａを閉じたときには、浴室側突出片３０ｃの先端の位置Ｔと湾曲面２５ａとの間の空間は、把手２５における基端側よりも先端側の方が広くなる。このため、把手２５の湾曲面２５ａに手を添えて障子２ａを閉じる際に障子２ａが枠体３に近づくと手の指が浴室側突出片３０ｃの先端と接触し、更に障子２ａを閉じると、指が浴室側突出片３０ｃに押されて空間が広い把手２５の先端側に案内される。このため、障子２ａを閉じた際に、ユーザーが指を挟むことを防止することが可能である。
【００３８】
また、把手２５の側面が、把手２５の内側に窪む湾曲面２５ａなので、平面の場合よりも、把手２５の基端側における、側面の戸先側の空間が広い。このため、指をより早く広い空間側に移動させることが可能である。
【００３９】
また、浴室側突出片３０ｃに設けられているシール材２６により障子２ａとの間の気密性・水密性が確保される。このため、より高い気密性・水密性が求められる建具１として使用することが可能である。
【００４０】
上記実施形態においては、把手２５の側面が、傾斜角度が異なる第１傾斜部２５ａと第２傾斜部２５ｂをなしている例について説明したが、これに限るものではない。例えば、図６に示すように、基端側の部位は、突出している方向に向かって幅が漸次狭くなり、把手２５の内側に窪む湾曲面２５ｄをなしており、先端側の部位は、湾曲面２５ｄと繋がって見込み方向に沿う平面２５ｅをなしており、湾曲面２５ｄと平面２５ｅとの境界部２５ｆが、浴室側突出片３０ｃよりも浴室側に位置している形態であっても構わない。この場合には、把手２５の側面に手を添えて障子２ａを閉じる際に指が浴室側突出片３０ｃの先端と接触し、更に障子２ａを閉じることにより、指が湾曲面２５ｄから平面２５ｅに沿って把手２５の先端側に案内される。このため、障子２ａを閉じた際に、指を速やかに把手２５の先端側に移動させることが可能である。
【００４１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４２】
本実施形態には、少なくとも以下の発明が含まれる。
開口を形成する枠体と、前記枠体に案内されてスライドし前記開口を開閉自在に設けられる障子と、を有し、前記枠体は、前記開口を閉じた前記障子の戸先が収容され、当該戸先と見込み方向に対向する戸先対向壁部を有する戸先収容部を有し、前記障子は、前記開口を閉じた前記障子の前記戸先側に設けられ、見込み方向において前記戸先対向壁部よりも突出し、開閉時に操作する把手を有し、前記把手は、前記障子の面内方向における前記戸先対向壁部の先端の位置との間隔が、当該把手が突出する先端側よりも基端側の方が狭い側面を有していることを特徴とする建具である。
【００４３】
このような建具によれば、障子の把手が、障子の面内方向における戸先対向壁部の先端の位置との間隔が、当該把手の先端側よりも基端側の方が狭い側面を有しているので、障子を閉じたときには、戸先対向壁部の先端の位置と側面との間の空間は、把手における基端側よりも先端側の方が広くなる。このため、把手の側面に手を添えて障子を閉じる際に障子が枠体に近づくと手の指が戸先対向壁部の先端と接触し、更に障子を閉じると、指が戸先対向壁部に押されて空間が広い把手の先端側に案内される。このため、障子を閉じた際に、ユーザーが指を挟むことを防止することが可能である。
【００４４】
かかる建具であって、前記側面は、前記把手の内側に窪む湾曲面であることを特徴とする。
このような建具によれば、側面は、把手の内側に窪む湾曲面なので、平面の場合よりも、把手の基端側における、側面の戸先側の空間が広くなる。このため、指をより早く広い空間側に移動させることが可能である。
【００４５】
かかる建具であって、前記側面は、見込み方向に対して傾斜する平面であることを特徴とする。
このような建具によれば、把手の側面に手を添えて障子を閉じる際に指が戸先対向壁部の先端と接触し、更に障子を閉じることにより、指が傾斜する平面に沿って把手の先端側に案内される。このため、障子を閉じた際に、指を速やかに把手の先端側に移動させることが可能である。
【００４６】
かかる建具であって、前記戸先対向壁部には、前記障子に当接されるシール材が設けられていることを特徴とする。
このような建具によれば、戸先対向壁部に設けられているシール材により障子との間の気密性・水密性が確保される。このため、より高い気密性・水密性が求められる建具として使用することが可能である。
【符号の説明】
【００４７】
１  建具、２ａ  第１障子、２ｂ  第２障子、３  枠体、３ａ  開口、
２１  戸先框、２５  把手、２５ａ  第１傾斜面、２５ｂ  第２傾斜面、
２５ｃ  境界部、２５ｄ  湾曲面、２５ｅ  平面、２５ｆ  境界部、２６  シール材、
３０ａ  戸先収容部、３０ｃ  浴室側突出片、３０ｆ  先端延出部、
３０ｈ  先端延出部の脱衣室側の縁、
Ｔ  面内方向における浴室側突出片の先端の位置、
【図１】
2020200703.tif 000003
【図２】
2020200703.tif 000004
【図３】
2020200703.tif 000005
【図４】
2020200703.tif 000006
【図５】
2020200703.tif 000007
【図６】
2020200703.tif 000008